(57)【要約】【課題】レンチキュラーレンズが貼り合わされていない画像表示媒体を用いて、立体的画像を表示する。【解決手段】右眼用画像および左眼用画像を表示する画像表示媒体と、画像表示媒体を、所定の位置に交換可能に保持する保持部と、所定の位置に対向して配置され、右眼用画像および左眼用画像のそれぞれを、所定の右眼位置および左眼位置のうちの対応する位置に向けて表示し、且つ、右眼位置および左眼位置のうちの対応しない位置に向けては表示しない指向性表示部と、保持部に挿入された画像表示媒体を指向性表示部に密着させる密着部とを備える画像表示装置を提供する。【選択図】図６
2011123217.tif 000002
【特許請求の範囲】
【請求項１】
右眼用画像および左眼用画像を表示する画像表示媒体と、
前記画像表示媒体を、所定の位置に交換可能に保持する保持部と、
前記所定の位置に対向して配置され、前記右眼用画像および前記左眼用画像のそれぞれを、所定の右眼位置および左眼位置のうちの対応する位置に向けて表示し、且つ、前記右眼位置および前記左眼位置のうちの対応しない位置に向けては表示しない指向性表示部と、
前記保持部に挿入された前記画像表示媒体を前記指向性表示部に密着させる密着部と
を備える画像表示装置。
【請求項２】
前記画像表示媒体には、画素よりも小さい貫通孔が略均一に分布して設けられる
請求項１に記載の画像表示装置。
【請求項３】
前記指向性表示部は、
前記画像表示媒体と密着し、前記画像表示媒体が表示する画像を透過する画像透過部と、
前記画像透過部と対向して配置され、前記画像透過部が透過した前記右眼用画像および前記左眼用画像のそれぞれを、所定の右眼位置および左眼位置のうちの対応する位置に向けて表示し、且つ、前記右眼位置および前記左眼位置のうちの対応しない位置に向けては表示しない指向性部と
を有し、
前記画像表示装置は、前記画像透過部と、前記指向性部との相対位置を調整する位置調整部を更に備える
請求項１または２に記載の画像表示装置。
【請求項４】
前記位置調整部は、水平方向における前記画像透過部と、前記指向性部との相対位置を調整する
請求項３に記載の画像表示装置。
【請求項５】
前記保持部は、前記画像表示媒体が挿入され、挿入された前記画像表示媒体の少なくとも一端を支持する
請求項１または２に記載の画像表示装置。
【請求項６】
前記保持部は、前記画像表示媒体の外形と略同一形状の空洞が形成され、
前記指向性表示部は、前記保持部のいずれかの面として形成される
請求項５に記載の画像表示装置。
【請求項７】
前記指向性表示部は、前記所定の位置に対向して、且つ、所定の間隔で配列方向に配列された複数のレンズまたはバリアを有し、
前記画像表示装置は、前記画像表示媒体が前記保持部により保持された状態で、前記配列方向における前記指向性表示部および前記画像表示媒体の相対位置を調整する位置調整部を更に備える
請求項６に記載の画像表示装置。
【請求項８】
前記画像表示媒体は、前記右眼用画像および前記左眼用画像を前記配列方向と垂直な方向に延伸する複数の画像に分割した分割画像が、前記配列方向と平行な方向における前記所定の間隔で配列される
請求項７に記載の画像表示装置。
【請求項９】
それぞれの前記画像表示媒体は、同一の領域に同一の位置確認用画像が印刷される
請求項１から４のいずれか１項に記載の画像表示装置。
【請求項１０】
前記保持部は、前記画像表示媒体において前記位置確認用画像が印刷される領域と対向する位置に、前記位置確認用画像を透過する確認用表示部が形成される
請求項９に記載の画像表示装置。
【請求項１１】
前記位置確認用画像は、所定の配列方向において前記所定の間隔より小さい微小間隔で、異なる色の画素ラインが交互に配列され、
前記確認用表示部は、前記配列方向と平行な方向における前記微小間隔で、前記配列方向と垂直に延伸する遮光部および開口部が交互に形成される
請求項１０に記載の画像表示装置。
【請求項１２】
前記指向性表示部は、前記所定の位置に対向して、且つ、所定の間隔で配列方向に配列されたバリアを有し、
前記画像表示装置は、前記画像表示媒体が保持される前記所定の位置に対して、前記指向性表示部とは逆側から、前記画像表示媒体に光を照射する光源部を更に備える
請求項１から４のいずれか１項に記載の画像表示装置。
【請求項１３】
右眼用画像および左眼用画像を表示する画像表示媒体を、所定の位置に交換可能に保持する保持部と、
前記所定の位置に対向して配置され、前記右眼用画像および前記左眼用画像のそれぞれを、所定の右眼位置および左眼位置のうちの対応する位置に向けて表示し、且つ、前記右眼位置および前記左眼位置のうちの対応しない位置に向けては表示しない指向性表示部と、
前記保持部に挿入された前記画像表示媒体を前記指向性表示部に密着させる密着部と
を備える媒体保持装置。
【請求項１４】
画像表示媒体に右眼用画像および左眼用画像を印刷する印刷装置であって、
与えられる画像データに基づいて、前記画像表示媒体に前記右眼用画像および前記左眼用画像を印刷して出力する印刷部と、
前記印刷部に設けられ、前記印刷部が印刷して出力する前記画像表示媒体を受け取り、前記画像表示媒体を、所定の位置に交換可能に保持する保持部と、
前記所定の位置に対向して配置され、前記右眼用画像および前記左眼用画像のそれぞれを、所定の右眼位置および左眼位置のうちの対応する位置に向けて表示し、且つ、前記右眼位置および前記左眼位置のうちの対応しない位置に向けては表示しない指向性表示部と、
前記保持部に挿入された前記画像表示媒体を前記指向性表示部に密着させる密着部と
を備える印刷装置。
【発明の詳細な説明】
【技術分野】
【０００１】
本発明は、画像表示装置、媒体保持装置および印刷装置に関する。
【背景技術】
【０００２】
従来、観視者に立体的画像を表示する装置として、印刷物にレンチキュラーレンズを貼り合せた媒体が知られている（例えば、特許文献１参照）。当該媒体は、画像が印刷された紙またはフィルム基材の表面に、レンズ状に樹脂が形成される。
【先行技術文献】
【特許文献】
【０００３】
【特許文献１】特開２００８−６４９３８号公報
【特許文献２】特開２００９−１２５１９８号公報
【発明の概要】
【発明が解決しようとする課題】
【０００４】
しかし、紙媒体等にレンチキュラーレンズを固定して貼りあわせる場合、それぞれの紙媒体に対してレンチキュラーレンズを形成しなければならない。また、一般家庭等においてレンチキュラーレンズを形成するのは困難であり、家庭等で撮像した写真を用いた立体視媒体を製作するには、業者等に依頼しなければならない。
【０００５】
また、紙媒体等を、レンチキュラーレンズと対向する位置に交換可能に保持することも考えられる。しかし、レンチキュラーレンズと紙媒体との間に、不均一に隙間が分布してしまい、立体的画像を精度よく表示することが困難となる。
【課題を解決するための手段】
【０００６】
上記課題を解決するために、本発明の第１の態様においては、右眼用画像および左眼用画像を表示する画像表示媒体と、画像表示媒体を、所定の位置に交換可能に保持する保持部と、所定の位置に対向して配置され、右眼用画像および左眼用画像のそれぞれを、所定の右眼位置および左眼位置のうちの対応する位置に向けて表示し、且つ、右眼位置および左眼位置のうちの対応しない位置に向けては表示しない指向性表示部と、保持部に挿入された画像表示媒体を指向性表示部に密着させる密着部とを備える画像表示装置を提供する。
【０００７】
本発明の第２の態様においては、画像表示媒体を、所定の位置に交換可能に保持する保持部と、所定の位置に対向して配置され、右眼用画像および左眼用画像のそれぞれを、所定の右眼位置および左眼位置のうちの対応する位置に向けて表示し、且つ、右眼位置および左眼位置のうちの対応しない位置に向けては表示しない指向性表示部と、保持部に挿入された画像表示媒体を指向性表示部に密着させる密着部とを備える媒体保持装置を提供する。
【０００８】
本発明の第３の態様においては、画像表示媒体に右眼用画像および左眼用画像を印刷する印刷装置であって、与えられる画像データに基づいて、画像表示媒体に右眼用画像および左眼用画像を印刷して出力する印刷部と、印刷部に設けられ、印刷部が印刷して出力する画像表示媒体を受け取り、画像表示媒体を、所定の位置に交換可能に保持する保持部と、所定の位置に対向して配置され、右眼用画像および左眼用画像のそれぞれを、所定の右眼位置および左眼位置のうちの対応する位置に向けて表示し、且つ、右眼位置および左眼位置のうちの対応しない位置に向けては表示しない指向性表示部と、保持部に挿入された画像表示媒体を指向性表示部に密着させる密着部とを備える印刷装置を提供する。
【０００９】
なお、上記の発明の概要は、本発明の必要な特徴の全てを列挙したものではない。また、これらの特徴群のサブコンビネーションもまた、発明となりうる。
【図面の簡単な説明】
【００１０】
【図１】1つの実施形態に係る画像表示装置１００の構成例を示す。
【図２】画像表示媒体１０が挿入された保持部２０の断面の一例を示す。
【図３】画像表示媒体１０が挿入された保持部２０の断面の他の例を示す。
【図４Ａ】画像表示媒体１０の裏面の一例を示す。
【図４Ｂ】保持部２０の裏面の一例を示す。
【図５】位置確認用画像１２および確認用表示部３０の構成例を示す。
【図６】画像表示装置１００の他の構成例を示す。
【図７】画像表示装置１００の他の構成例を示す。
【図８】画像表示装置１００の他の構成例を示す。
【図９】印刷装置２００の正面図の一例を示す。
【図１０】印刷装置２００の側面図の一例を示す。
【発明を実施するための形態】
【００１１】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１２】
図１は、１つの実施形態に係る画像表示装置１００の構成例を示す。画像表示装置１００は、画像表示媒体１０が表示する画像を用いて、観視者に立体的画像を提供する。画像表示装置１００は、画像表示媒体１０、保持部２０、および、指向性表示部５０を備える。保持部２０および指向性表示部５０は、画像表示媒体１０を所定の位置に保持する画像保持装置として機能する。
【００１３】
画像表示媒体１０は、右眼用画像および左眼用画像を表示する。例えば画像表示媒体１０は、画像が印刷された紙媒体またはフィルム媒体、若しくは、与えられる制御信号に応じた画像を表示する液晶表示装置、ＥＬ表示装置、または、その他の表示装置である。
【００１４】
また、右眼用画像および左眼用画像は、観視者の右眼および左眼に提示すべき画像を指す。本例の画像表示媒体１０は、右眼用画像および左眼用画像のそれぞれを、画像の上辺から下辺にわたって一定の幅を有する複数の分割画像にして、右眼用画像の分割画像Ｒおよび左眼用画像の分割画像Ｌを交互に表示する。
【００１５】
保持部２０は、画像表示媒体１０を、所定の位置に交換可能に保持する。例えば保持部２０は、図１に示すように、内部に空洞を有する額縁状の構造を有し、画像表示媒体１０を当該空洞に載置する。ただし、保持部２０の構造は、当該構造に限定されない。保持部２０の構造は、画像表示媒体１０を、指向性表示部５０と対向する所定の位置に、交換可能に保持できる構造であればよい。以下においては、保持部２０が、画像表示媒体１０の外形と略同一形状の空洞を有する形態を用いて、画像表示装置１００の構造を説明する。なお略同一形状とは、画像表示媒体１０の外形に対して、所定のマージンだけ大きい形状を含む。
【００１６】
指向性表示部５０は、画像表示媒体１０が保持される所定の位置に対向して配置される。本例の指向性表示部５０は、保持部２０のいずれかの面として形成される。より具体的には、保持部２０は直方体形状を有し、指向性表示部５０は、保持部２０の面のうち、面積が最大となる面に形成されてよい。
【００１７】
指向性表示部５０は、画像表示媒体１０が表示する右眼用画像および左眼用画像のそれぞれを、所定の右眼位置および左眼位置のうちの対応する位置に向けて表示し、且つ、右眼位置および左眼位置のうちの対応しない位置に向けては表示しない。つまり、指向性表示部５０は、右眼用画像の分割画像Ｒを、所定の右眼位置からは観察でき、且つ、所定の左眼位置からは観察できないように表示する。同様に、指向性表示部５０は、左眼用画像の分割画像Ｌを、所定の左眼位置からは観察でき、且つ、所定の右眼位置からは観察できないように表示する。
【００１８】
指向性表示部５０は、いわゆるレンチキュラーレンズまたはパララックスバリアを有してよい。例えばレンチキュラーレンズを有する場合、指向性表示部５０には、水平方向に沿って所定の間隔でレンズ５２が配列される。画像表示媒体１０は、レンズ５２等の配列方向（配列方向として水平方向を用いる場合がある）と平行な方向において、所定の間隔で分割画像Ｒ、Ｌが配列される。
【００１９】
保持部２０には、内部の空洞に画像表示媒体１０を挿入する挿入口２２が形成されてよい。挿入口２２は、画像表示媒体１０が通過した後は、保持部２０の内部の空洞を密閉してよい。また、保持部２０は、額縁等と同様に、指向性表示部５０に対する裏面の一部を形成する部材が取り外し可能に設けられてもよい。利用者は、保持部２０の当該部材を取り外して画像表示媒体１０を内部の空洞に載置し、当該部材を保持部２０に装着することで画像表示媒体１０を固定してよい。また、保持部２０は、いずれかの面の一部の領域に設けられ、本体に対して回動することで保持部２０の内部空洞を表出させる開き扉が形成されてよく、いずれかの面の一部の領域に設けられ、本体に対してスライドすることで内部空洞を表出させるスライド部が形成されてもよい。
【００２０】
保持部２０は、上述した構造により、内部空洞に画像表示媒体１０が挿入される。保持部２０は、挿入された画像表示媒体１０の少なくとも一端を支持する。例えば保持部２０は、挿入された画像表示媒体１０の１以上の辺に当接することで、内部空洞における画像表示媒体１０の位置を決める位置決め部が設けられる。位置決め部は、少なくとも画像表示媒体１０の下辺と当接することが好ましい。画像表示媒体１０の下辺とは、重力方向において最も下側の辺を指す。
【００２１】
図２は、画像表示媒体１０が挿入された保持部２０の断面の一例を示す。図２では、図１に示したＡ−Ａ断面を示す。上述したように、画像表示媒体１０は、保持部２０の内部空洞２６に保持される。
【００２２】
なお、指向性表示部５０は、画像表示媒体１０と対向して、且つ、所定の間隔で水平方向に配列されたレンズまたはバリアを有する。同様に、画像表示媒体１０は、水平方向に配列された分割画像Ｒ、Ｌを表示する。このような構造において、予め定められた位置に立体的画像を提供する場合、指向性表示部５０および画像表示媒体１０は、水平方向において所定の相対位置となることが好ましい。
【００２３】
画像表示装置１００は、画像表示媒体１０が保持部２０により保持された状態で、水平方向における指向性表示部５０および画像表示媒体１０の相対位置を調整する位置調整部２４を更に備えてよい。例えば位置調整部２４は、内部空洞２６における、画像表示媒体１０の水平位置を調整する。この場合、内部空洞２６は、水平方向において、画像表示媒体１０よりも大きい幅を有する。
【００２４】
また、画像表示媒体１０において画像を表示する領域は、指向性表示部５０においてレンズまたはバリアが形成される領域よりも、水平方向の幅が大きいことが好ましい。このため、内部空洞２６は、指向性表示部５０よりも、所定のマージンＷだけ水平方向に大きくなる。
【００２５】
位置調整部２４は、内部空洞２６において画像表示媒体１０の右辺または左辺に当接する位置決め部材の位置を、水平方向に調整することで、画像表示媒体１０の水平方向の位置を調整してよい。例えば位置調整部２４は、スクリューコンベア機構等により、観視者の操作に応じて当該位置決め部材の位置を調整する。スクリューコンベア機構とは、回転軸を中心にスクリューを回転させて、スクリューを所定の方向に前後させることで、対象物の位置を調整する機構を指す。
【００２６】
図３は、画像表示媒体１０が挿入された保持部２０の断面の他の例を示す。図３においても、図１に示したＡ−Ａ断面を示す。上述したように、画像表示媒体１０は、保持部２０の内部空洞２６に保持される。
【００２７】
本例の保持部２０には、指向性表示部５０を、水平方向に移動可能に保持する保持領域２８が形成される。保持領域２８は、指向性表示部５０が載置され、水平方向の幅が指向性表示部５０より大きい空洞であってよい。ただし、保持領域２８は、観視者に対して指向性表示部５０を表出させる開口を有する。
【００２８】
本例の位置調整部２４は、保持領域２８における、指向性表示部５０の水平位置を調整する。この場合、指向性表示部５０においてレンズまたはバリアが形成される領域は、画像表示媒体１０において画像を表示する領域よりも、水平方向の幅が大きいことが好ましい。位置調整部２４は、保持領域２８において指向性表示部５０の右辺または左辺に当接する位置決め部材の位置を、水平方向に調整することで、指向性表示部５０の水平方向の位置を調整してよい。このような構成によっても、指向性表示部５０および画像表示媒体１０を、水平方向において所定の相対位置とすることができる。
【００２９】
図４Ａは、画像表示媒体１０の裏面の一例を示す。画像表示媒体１０の裏面とは、右眼用画像および左眼用画像を表示する表示面の裏面を指す。それぞれの画像表示媒体１０の裏面には、同一の領域に同一の位置確認用画像１２が表示される。例えば、画像表示媒体１０が印刷物である場合、画像表示媒体１０の裏面には、位置確認用画像１２が印刷される。
【００３０】
図４Ｂは、保持部２０の裏面の一例を示す。保持部２０の裏面とは、指向性表示部５０が設けられる面の裏面を指す。保持部２０の裏面には、画像表示媒体１０において位置確認用画像１２が印刷される領域と対向する位置に、位置確認用画像１２を透過する確認用表示部３０が形成される。
【００３１】
図５は、位置確認用画像１２および確認用表示部３０の構成例を示す。なお図５では、水平方向と平行な面における、位置確認用画像１２および確認用表示部３０の断面の概要を示す。本例の位置確認用画像１２は、水平方向と平行な方向において、異なる色の画素ラインが交互に配列される。図５に示す位置確認用画像１２は、白の画素ラインＷと、黒の画素ラインＢとが、分割画像Ｒ、Ｌの配列間隔よりも小さい微小間隔で交互に配列される。
【００３２】
また、確認用表示部３０は、水平方向と垂直に延伸する遮光部３２および開口部が、水平方向に沿って交互に形成される。遮光部３２および開口部は、上述した微小間隔で配置されてよい。なお、位置確認用画像１２が、水平方向における予め定められた位置に保持された場合に、確認用表示部３０が表示する画像の特性がピークを示すように、遮光部３２が配列されることが好ましい。
【００３３】
当該予め定められた位置とは、画像表示媒体１０が表示する右眼用画像および左眼用画像が、それぞれ所定の右眼位置および左眼位置に向けて表示されるような、画像表示媒体１０の位置を指す。また、確認用表示部３０から観察される画像の特性とは、確認用表示部３０が所定の位置に表示する画像の色度、明度等であってよい。図５に示した例では、画像表示媒体１０が予め定められた位置に保持された場合に、確認用表示部３０が所定の位置に表示する画像が、最も黒く（または最も白く）なるように、遮光部３２が配列される。
【００３４】
観視者は、確認用表示部３０が表示する画像を観察しながら、画像表示媒体１０の水平方向の位置を調整することで、画像表示媒体１０を予め定められた位置に配置することができる。なお、位置確認用画像１２および確認用表示部３０における画素ラインのピッチおよび確認用表示部３０のピッチを、分割画像Ｒ、Ｌのピッチよりも細かく形成することで、右眼用画像および左眼用画像を観察しながら画像表示媒体１０の水平方向の位置を調整する場合に比べ、より精度よく画像表示媒体１０の位置を調整することができる。
【００３５】
図６は、画像表示装置１００の他の構成例を示す。本例の画像表示装置１００は、図１から図５に関連して説明したいずれかの画像表示装置１００の構成に加え、密着部３８を更に備える。図６では、図２に示した画像表示装置１００の構成に、密着部３８を追加した構成を例示する。
【００３６】
密着部３８は、保持部２０に挿入された画像表示媒体１０を、指向性表示部５０に密着させる。指向性表示部５０は、画像表示媒体１０と対向する面に、透明且つ平らな基材を有してよい。ここで密着とは、画像表示媒体１０において画像が表示される画像表示領域の全てが、指向性表示部５０の基材に接触することを指してよい。これにより、画像表示媒体１０および指向性表示部５０の距離が、画像表示領域の全領域に渡って均一になり、好適な立体的表示を提供できる。
【００３７】
密着部３８は、画像表示媒体１０の画像表示領域を、指向性表示部５０の方向に押圧することで、画像表示媒体１０を、指向性表示部５０に密着させてよい。例えば密着部３８は、保持部２０の裏面に設けられた裏面部材３６を、指向性表示部５０の方向に移動させることで、保持部２０の内部空洞２６に挿入された画像表示媒体１０を押圧する。裏面部材３６は、保持部２０の本体に対して移動可能に設けられる。裏面部材３６は、保持部２０の本体とは分離した部材であってよい。
【００３８】
また、密着部３８は、画像表示媒体１０および指向性表示部５０の間の空間を減圧することで、画像表示媒体１０を、指向性表示部５０に密着させてもよい。例えば、保持部２０は裏面部材３６を有し、密着部３８は、内部空洞２６の気体を吸引して内部空洞２６を減圧する。これにより、画像表示媒体１０を、裏面部材３６および指向性表示部５０に密着させることができる。
【００３９】
また、画像表示媒体１０には、画像表示媒体１０および指向性表示部５０の間の気体を通過させる貫通孔が設けられてよい。例えば画像表示媒体１０には、画像の最小単位である１画素よりも十分小さい面積の貫通孔が、略均一に分布して設けられる。このような構成により、画像表示媒体１０を、指向性表示部５０に密着させたときに、画像表示媒体１０および指向性表示部５０の間に気泡が残留することを防ぐことができる。
【００４０】
図７は、画像表示装置１００の他の構成例を示す。本例の画像表示装置１００は、図６に関連して説明した画像表示装置１００に対して、指向性表示部５０の構成が異なる。他の構成は、図６に関連して説明した画像表示装置１００と同一であってよい。
【００４１】
本例の指向性表示部５０は、画像透過部５４および指向性部５６を有する。画像透過部５４は、密着部３８によって、画像表示媒体１０と密着される。画像透過部５４は、画像表示媒体１０が表示する画像を透過する。画像透過部５４は、透明な材料で形成されてよい。
【００４２】
指向性部５６は、画像透過部５４と対向して配置され、画像透過部５４が透過した画像表示媒体１０の右眼用画像および左眼用画像のそれぞれを、所定の右眼位置および左眼位置のうちの対応する位置に向けて表示し、且つ、右眼位置および左眼位置のうちの対応しない位置に向けては表示しない。つまり、指向性部５６は、図１から図６に関連して説明した指向性表示部５０と同一の機能および構成を有してよい。
【００４３】
なお、画像透過部５４は、指向性部５６と同一の材料で形成されることが好ましい。また、画像透過部５４の厚さは十分薄いことが好ましい。画像透過部５４は、指向性部５６よりも薄くてよい。
【００４４】
位置調整部２４は、画像透過部５４と、指向性部５６との相対位置を調整する。例えば位置調整部２４は、水平方向における、画像透過部５４と、指向性部５６との相対位置を調整する。ここで水平方向とは、指向性部５６において、複数のバリアまたは複数のレンズが配列される配列方向を指す。
【００４５】
本例の位置調整部２４は、水平方向における指向性部５６の位置を調整してよい。この場合、保持部２０は、指向性部５６を水平方向に移動可能に保持する。保持部２０は、水平方向において画像表示媒体１０よりも大きい幅を有する保持溝６０に、指向性部５６を有してよい。
【００４６】
本例の画像表示装置１００によれば、画像表示媒体１０を指向性表示部５０に密着させた後に、画像表示媒体１０および指向性部５６の相対位置を調整することができる。このため、画像表示媒体１０を密着させるときに画像表示媒体１０の位置がずれた場合でも、画像表示媒体１０および指向性部５６の相対位置を調整して、適切な立体的画像を表示することができる。
【００４７】
また、位置調整部２４は、指向性部５６の傾きを調整可能であってもよい。これにより、位置調整部２４は、指向性部５６のバリアまたはレンズの延伸方向と、画像表示媒体１０の画素ラインの方向とを一致させるように、指向性部５６の傾きを調整することができる。
【００４８】
図８は、画像表示装置１００の他の構成例を示す。本例の画像表示装置１００は、図１から図７に関連して説明したいずれかの画像表示装置１００の構成に加え、光源部６２を更に備える。他の構成は、図１から図７に関連して説明したいずれかの画像表示装置１００と同一であってよい。図８では、図７に関連して説明した画像表示装置１００の構成に光源部６２を追加した構成を示す。
【００４９】
光源部６２は、画像表示媒体１０が保持される所定の位置に対して、指向性表示部５０とは逆側から、画像表示媒体１０に光を照射する。光源部６２は、画像表示媒体１０を挟んで、指向性表示部５０とは逆側に配置されてよい。光源部６２は、白色光を照射してよく、画像表示媒体１０が表示する画像の色に応じたスペクトルを有する光を照射してもよい。
【００５０】
画像表示媒体１０は、光源部６２から照射された光の少なくとも一部を、指向性表示部５０側に透過させる。画像が印刷されていない状態の画像表示媒体１０は、各領域に照射された光を、略等しい透過率で透過させる。画像表示媒体１０は、薄い紙媒体に画像が印刷されたものであってよく、透明なシート媒体に画像が印刷されたものであってもよい。
【００５１】
このような構成により、画像表示媒体１０の画像を、より鮮明に表示することができる。なお、指向性部５６は、所定の間隔で配列方向に配列されたバリアを有するパララックスバリアであってよい。この場合、指向性部５６で低下する画像の輝度を、光源部６２により補償することができる。
【００５２】
図９は、印刷装置２００の正面図の一例を示す。印刷装置２００は、画像表示媒体１０に右眼用画像および左眼用画像を印刷する装置であって、印刷部２０２および画像表示装置１００を備える。
【００５３】
印刷部２０２は、与えられる画像データに基づいて、画像表示媒体１０に右眼用画像および左眼用画像を印刷して出力する。印刷部２０２は、コンピュータ等から与えられる画像データに応じた右眼用画像および左眼用画像を、画像表示媒体１０に印刷する。
【００５４】
印刷部２０２は、印刷物を印刷部２０２の外部に搬送する搬送部２１０および搬送部２２０を有する。搬送部２２０は、上述した画像表示媒体１０を搬送する。搬送部２２０は、画像表示媒体１０と略同一の幅を有してよい。また搬送部２２０は、画像表示装置１００における挿入口２２と略同一の幅を有してよい。搬送部２１０は、画像表示媒体１０とは異なる印刷物を搬送する。例えば搬送部２１０は、画像表示媒体１０とは異なる大きさの印刷物を搬送する。
【００５５】
画像表示装置１００は、印刷部２０２の所定の位置に設けられる。例えば画像表示装置１００は、搬送部２２０から出力される画像表示媒体１０が、挿入口２２に挿入される位置に設けられる。画像表示装置１００は、搬送部２２０の下方に設けられてよい。
【００５６】
画像表示装置１００は、搬送部２２０が出力する画像表示媒体１０を受け取り、受け取った画像表示媒体１０を、挿入口２２から保持部２０の内部に挿入する。画像表示装置１００は、画像表示媒体１０が、保持部２０の内部における所定の位置に挿入される位置に設けられることが好ましい。
【００５７】
搬送部２２０から出力される画像表示媒体１０が、画像表示装置１００に挿入された場合に、予め定められた位置に立体的画像が提供されるように、印刷部２０２は、画像表示媒体１０の所定の位置に、右眼用画像および左眼用画像を印刷する。印刷部２０２は、右眼用画像および左眼用画像を印刷する位置を補正するオフセット量を記憶してよい。当該オフセット量は、使用者等により設定されてよい。
【００５８】
図１０は、印刷装置２００の側面図の一例を示す。印刷装置２００は、図９に関連して説明した構成に加え、角度調整部２３０を更に備える。本例の画像表示装置１００は、搬送部２２０から画像表示媒体１０を受け取るときに第一位置に配置され、搬送部２２０から画像表示媒体１０を受け取った後に第二位置に配置される。
【００５９】
第二位置は、例えば印刷装置２００の側面に対して画像表示装置１００が略平行となる位置であり、第一位置は、例えば印刷装置２００の側面に対して画像表示装置１００が所定の角度を有する位置である。また、画像表示装置１００が第二位置に配置された場合、画像表示装置１００の挿入口２２は、搬送部２２０が出力する画像表示媒体１０が直接挿入される位置に配置される。
【００６０】
例えば、画像表示装置１００が第二位置に配置された場合、挿入口２２は、搬送部２２０の開口と対向する位置に配置される。この場合、搬送部２２０の内部において画像表示媒体１０が通過する経路と、画像表示装置１００の内部において画像表示媒体１０が通過する経路とが連続するように、挿入口２２と、搬送部２２０の開口とが接してよい。
【００６１】
角度調整部２３０は、画像表示装置１００を第一位置または第二位置のいずれかの位置に配置する。角度調整部２３０は、印刷部２０２に対する画像表示装置１００の角度を調整することで、画像表示装置１００を第一位置または第二位置のいずれかの位置に配置してよい。
【００６２】
本例の角度調整部２３０は、画像表示装置１００の挿入口２２が設けられる端部の反対側の端部に接続され、当該端部と印刷部２０２との距離を変更することで、画像表示装置１００の印刷部２０２に対する角度を調整する。角度調整部２３０は、画像表示装置１００を第一位置から第二位置に移動させる場合、角度調整部２３０が接続される画像表示装置１００の端部と印刷部２０２との距離を増大させる。これにより、画像表示装置１００が、画像表示媒体１０を挿入しやすいように傾斜する。
【００６３】
ここで、画像表示装置１００の挿入口２２が設けられる端部と、印刷部２０２との距離は一定に保持される。つまり、角度調整部２３０は、画像表示装置１００の挿入口２２が設けられる端部を回転軸として、画像表示装置１００を回動させてよい。
【００６４】
このような構造により、画像表示媒体１０に印刷された立体的画像を、速やかに利用者に表示できる。また、印刷部２０２において、画像表示媒体１０に右眼用画像および左眼用画像を印刷する位置を調整して、印刷部２０２から画像表示装置１００に画像表示媒体１０を直接挿入するので、画像表示装置１００の指向性表示部５０と、右眼用画像および左眼用画像との相対位置を容易に調整することができる。
【００６５】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００６６】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００６７】
１０・・・画像表示媒体、１２・・・位置確認用画像、２０・・・保持部、２２・・・挿入口、２４・・・位置調整部、２６・・・内部空洞、２８・・・保持領域、３０・・・確認用表示部、３２・・・遮光部、３６・・・裏面部材、３８・・・密着部、５０・・・指向性表示部、５２・・・レンズ、５４・・・画像透過部、５６・・・指向性部、６０・・・保持溝、６２・・・光源部、１００・・・画像表示装置、２００・・・印刷装置、２０２・・・印刷部、２１０、２２０・・・搬送部、２３０・・・角度調整部
【図１】
2011123217.tif 000003
【図２】
2011123217.tif 000004
【図３】
2011123217.tif 000005
【図４Ａ】
2011123217.tif 000006
【図４Ｂ】
2011123217.tif 000007
【図５】
2011123217.tif 000008
【図６】
2011123217.tif 000009
【図７】
2011123217.tif 000010
【図８】
2011123217.tif 000011
【図９】
2011123217.tif 000012
【図１０】
2011123217.tif 000013